(57)【要約】【課題】簡易な構成により、はためきによる濾材の損傷を抑制することができるフィルタ保護具を提供すること。【解決手段】フィルタ保護具１０は、開口部３ａ及び閉塞部３ｂを有する袋状の濾材３を複数並列に配置して構成され、気体を濾過する濾材集合部（フィルタメディア部）２と、被設置箇所の取付部材６に設置可能に構成され、フィルタメディア部２の開口部３ａの側を固定する固定枠部４と、を備えたフィルタ１におけるフィルタメディア部２を囲んで保護する。フィルタ保護具１０は、気体を流通可能に構成され、上流側の端部１１ａが取付部材６に固定される一対の支持部１１と、隣接する濾材３を区画するように該濾材３の間に配置される区画部１２と、支持部１１の下流側の端部１１ｂ及び区画部１２の下流側の端部１２ｂを接続する第１接続部１３と、隣接する区画部１２の下流側の端部１２ｂを接続する第２接続部１４と、を備える。【選択図】図２
2011167658.tif 000002
【特許請求の範囲】
【請求項１】
一端に開口部を有し他端に閉塞部を有する袋状の濾材を複数並列に配置して構成され、前記開口部の側を上流側として前記閉塞部に向かって流通される気体を濾過する濾材集合部と、被設置箇所に設けられた取付部材に設置可能に構成され、前記濾材集合部の前記開口部の側を固定する固定枠部と、を備えたフィルタにおける前記濾材集合部を囲んで保護するフィルタ保護具であって、
前記気体を流通可能に構成され、前記濾材集合部の複数の前記濾材のうち最も外側に配置された該濾材の側面部に沿って配置されると共に、上流側の端部が前記取付部材に固定される一対の支持部と、
前記気体を流通可能に構成され、隣接する前記濾材を区画するように該濾材の間に配置される区画部と、
前記支持部の下流側の端部及び前記区画部の下流側の端部を接続する第１接続部と、
隣接する前記区画部の下流側の端部を接続する第２接続部と、
を備えるフィルタ保護具。
【請求項２】
前記第１接続部及び前記第２接続部は、前記気体を流通可能に構成される請求項１に記載のフィルタ保護具。
【請求項３】
前記支持部及び前記区画部は、剛性を有する網状部材からなり、該網状部材の下流側における網目の大きさが、該網状部材の上流側における網目の大きさよりも小さいか又は同じである請求項１又は２に記載のフィルタ保護具。
【請求項４】
隣接する前記第１接続部及び前記第２接続部、隣接する前記第２接続部同士、及び隣接する前記第１接続部同士を連結して補強する補強部材を更に備える請求項１から３のいずれか一つに記載のフィルタ保護具。
【請求項５】
請求項１から４のいずれか一つに記載の前記フィルタ保護具に前記フィルタの前記濾材集合部を挿入する際に使用されるフィルタ設置治具であって、
前記フィルタの前記固定枠部に仮止め可能に構成された枠部と、
前記枠部に把持可能に設けられた取手部と、
前記枠部から下流側に向かって突出して該枠部に設けられると共に、前記濾材集合部の前記濾材の内部にそれぞれ挿入可能に構成され、該濾材の内部に挿入された状態で該濾材を前記フィルタ保護具に案内する複数の案内部と、
を備えるフィルタ設置治具。
【発明の詳細な説明】
【技術分野】
【０００１】
本発明は、原子力発電所等の換気空調設備等に使用される吹流し型のフィルタをはためきによる損傷から保護するフィルタ保護具、及びフィルタをフィルタ保護具に案内する際に使用されるフィルタ設置治具に関する。
【背景技術】
【０００２】
原子力発電所等の換気空調設備等には、発電所の建屋に導入される外気及び循環空気を浄化する外気処理装置及び給気処理装置や、建屋の外部に排出される排気を浄化する排気処理装置が設けられている。このような外気処理装置、給気処理装置や排気処理装置は、外気、循環空気、排気に含まれる塵埃を捕集するフィルタを備えている。
【０００３】
このフィルタは、一端に開口部を有し他端に閉塞部を有する袋状の濾材を複数並列に配置して構成され、開口部の側を上流側として閉塞部に向かって流通される気体（以下、「外気、循環空気及び排気」を、特に明示がない限り、「外気等」という）を濾過する濾材集合部と、被設置箇所に設けられた取付部材に設置可能に構成され、濾材集合部の開口部の側を固定する固定枠部と、を備えて構成されている（例えば、特許文献１参照）。なお、以下の説明において、フィルタに気体が流通する状態を適宜、「通気」ともいう。
【０００４】
このように構成されたフィルタには、通気時において外気等の気体が濾材の上流側（開口部側）から下流側（閉塞部側）に向かって流れる。フィルタは、濾材集合部へ流入する気体により濾材の容積（濾過面積）が増大した状態で気体中の塵埃を捕集する。つまり、フィルタは、通気時に吹流しのような形態で塵埃を捕集する。そのため、フィルタは、吹流し型フィルタと称されることもある。
【０００５】
このような吹流し型フィルタは、濾材の下流側の端部（閉塞部）が全く支持されていない場合には、通気量が急激に変化したとき（例えば、送風機の起動停止時や強風送風時）等に、濾材がはためき、隣接する濾材同士が接触して擦り切れたり、濾材に穴が開いてしまうことがあった。
【０００６】
そのため、濾材の下流側の端部に吊り具を備え、この吊り具にワイヤー等を通すことによって濾材を吊り下げ可能に構成したフィルタが開示されている（例えば、特許文献２参照）。この特許文献２に記載の技術によれば、濾材の下流側の端部が吊り具を介して吊り下げられることにより、この吊り下げ方向において濾材のはためきが抑制される。
【先行技術文献】
【特許文献】
【０００７】
【特許文献１】特開２００２−６０８５号公報
【特許文献２】特開２００１−９２２４号公報
【発明の概要】
【発明が解決しようとする課題】
【０００８】
しかし、上記特許文献２に記載の技術は、隣接する濾材側（例えば、濾材の吊り下げ方向と略直交する方向）への濾材の動き（はためき）が規制されていない。そのため、隣接する濾材同士がはためいて接触し、濾材が損傷する虞があった。
【０００９】
従って、簡易な構成により、はためきによる濾材の損傷を抑制することができるフィルタ保護具が望まれていた。また、フィルタ保護具に対してフィルタを容易に設置することができるフィルタ設置治具が望まれていた。
【００１０】
本発明は、簡易な構成により、はためきによる濾材の損傷を抑制することができるフィルタ保護具を提供することを目的とする。
また、本発明は、フィルタ保護具に対してフィルタを容易に設置することができるフィルタ設置治具を提供することを目的とする。
【課題を解決するための手段】
【００１１】
本発明は、一端に開口部を有し他端に閉塞部を有する袋状の濾材を複数並列に配置して構成され、前記開口部の側を上流側として前記閉塞部に向かって流通される気体を濾過する濾材集合部と、被設置箇所に設けられた取付部材に設置可能に構成され、前記濾材集合部の前記開口部の側を固定する固定枠部と、を備えたフィルタにおける前記濾材集合部を囲んで保護するフィルタ保護具であって、前記気体を流通可能に構成され、前記濾材集合部の複数の前記濾材のうち最も外側に配置された該濾材の側面部に沿って配置されると共に、上流側の端部が前記取付部材に固定される一対の支持部と、前記気体を流通可能に構成され、隣接する前記濾材を区画するように該濾材の間に配置される区画部と、前記支持部の下流側の端部及び前記区画部の下流側の端部を接続する第１接続部と、隣接する前記区画部の下流側の端部を接続する第２接続部と、を備えるフィルタ保護具に関する。
【００１２】
また、前記第１接続部及び前記第２接続部は、前記気体を流通可能に構成されることが好ましい。
【００１３】
また、前記支持部及び前記区画部は、剛性を有する網状部材からなり、該網状部材の下流側における網目の大きさが、該網状部材の上流側における網目の大きさよりも小さいか又は同じであることが好ましい。
【００１４】
また、隣接する前記第１接続部及び前記第２接続部、隣接する前記第２接続部同士、及び隣接する前記第１接続部同士を連結して補強する補強部材を更に備えることが好ましい。
【００１５】
また、前記フィルタ保護具に前記フィルタの前記濾材集合部を挿入する際に使用されるフィルタ設置治具であって、前記フィルタの前記固定枠部に仮止め可能に構成された枠部と、前記枠部に把持可能に設けられた取手部と、前記枠部から下流側に向かって突出して該枠部に設けられると共に、前記濾材集合部の前記濾材の内部にそれぞれ挿入可能に構成され、該濾材の内部に挿入された状態で該濾材を前記フィルタ保護具に案内する複数の案内部と、を備えるフィルタ設置治具に関する。
【発明の効果】
【００１６】
本発明によれば、簡易な構成により、はためきによる濾材の損傷を抑制することができるフィルタ保護具を提供することができる。
【００１７】
また、本発明によれば、フィルタ保護具に対してフィルタを容易に設置することができるフィルタ設置治具を提供することができる。
【図面の簡単な説明】
【００１８】
【図１】本発明の実施形態のフィルタ保護具１０によって保護されるフィルタ１を示す斜視図である。
【図２】本発明の実施形態のフィルタ保護具１０が被設置箇所に設置された状態を示す平面図である。
【図３】本発明の実施形態のフィルタ保護具１０の支持部１１を示す部分側面図である。
【図４】本発明の実施形態のフィルタ設置治具２０を示す斜視図である。
【発明を実施するための形態】
【００１９】
以下に、本発明の実施形態について図１から図４を参照しながら説明する。図１は、本発明の実施形態のフィルタ保護具１０によって保護されるフィルタ１を示す斜視図である。図２は、本発明の実施形態のフィルタ保護具１０が被設置箇所に設置された状態を示す平面図である。また、図２には、フィルタ１に装着されたフィルタ設置治具２０（後述）を想像線で簡略化して示してある。図３は、本発明の実施形態のフィルタ保護具１０の支持部１１を示す部分側面図である。
【００２０】
以下、原子力発電所等における換気空調設備の外気処理装置（図示せず）に設けられ、建屋（図示せず）に導入される外気（気体）を浄化するフィルタ１を例にして説明する。
先ず、フィルタ１が設置される被設置箇所について図２を参照しながら説明する。図２に示すように、フィルタ１は、被設置箇所である仕切壁５の開口部５ａに設けられた取付部材６に設置される。仕切壁５は、例えば、建屋（図示せず）の所定箇所に設けられたコンクリート製の壁であり、矩形状の開口部５ａを有する。
【００２１】
取付部材６は、フィルタ１を開口部５ａに取り付ける部材である。取付部材６は、例えば、矩形格子状に複数区画された金属製の枠体である。取付部材６は、断面が略Ｔ字状に構成されている。取付部材６は、凹部６ａと、開口部６ｂと、取付面６ｃと、を有する。凹部６ａは、通気方向から視た場合に、矩形状であり、通気方向の上流側から下流側に向かって凹んでいる。開口部６ｂは、通気方向から視た場合に、矩形状であり、凹部６ａの中心に開口されている。また、取付部材６は、通気方向の反対側から視た場合に、矩形状であり、後述する支持部１１が固定される。
【００２２】
次に、本発明の実施形態のフィルタ保護具１０によって保護されるフィルタ１について図１を参照しながら説明する。図１に示すように、フィルタ１は、濾材集合部としてのフィルタメディア部２と、固定枠部４とを備える。フィルタメディア部２は、一端に開口部３ａを有し他端に閉塞部３ｂを有する袋状の濾材３を複数（例えば、８つ）並列に配置して構成されている。各濾材３は、所定の間隔を空けて所定ピッチで並列に配置されている。フィルタメディア部２は、濾材３の開口部３ａの側を上流側として閉塞部３ｂに向かって流通される外気（気体）を濾過する。
【００２３】
濾材３は、例えば、側面視で矩形状となっている。濾材３の開口部３ａは、図２に示すように、例えば、正面視で矩形状となっている。濾材３の閉塞部３ｂは、例えば、平面視三角形状となっている（図２においては、説明の便宜上、平面視で矩形状としてある）。
【００２４】
固定枠部４は、仕切壁５の開口部５ａ（図２参照）に設けられた取付部材６（図２参照）に設置される。具体的には、固定枠部４は、取付部材６の凹部６ａにボルト及びナット等（図示せず）を用いて固定される。固定枠部４は、開口部４ａを有し、矩形枠状に構成されている。固定枠部４には、フィルタメディア部２の開口部３ａの側が固定されている。固定枠部４の開口部４ａには、後述するフィルタ設置治具２０の枠部２１（図４参照）が装着される。
【００２５】
次に、フィルタ保護具１０について図２及び図３を参照しながら説明する。図２に示すように、フィルタ保護具１０は、仕切壁５の開口部５ａに設けられた取付部材６に固定され、フィルタ１におけるフィルタメディア部２を囲んで保護するものである。
フィルタ保護具１０は、一対の支持部１１と、区画部１２と、第１接続部１３と、第２接続部１４と、補強部材１５と、を備える。
【００２６】
支持部１１は、フィルタメディア部２の８つの濾材３のうち最も外側に配置された濾材３の側面部３ｃに沿って配置される。また、図３に示すように、支持部１１は、側面視で矩形状となっている。支持部１１の側面の大きさは、濾材３の側面部３ｃの大きさよりも大きくなっている。
【００２７】
支持部１１の上流側の端部１１ａは、取付部材６の取付面６ｃに溶接等によって固定される。支持部１１は、フィルタ保護具１０の全体を支持する。支持部１１の下流側の端部１１ｂは、濾材３の閉塞部３ｂよりも下流側に位置している。支持部１１の下流側の端部１１ｂは、後述する第１接続部１３を介して区画部１２の下流側の端部１２ｂと接続されている。
【００２８】
区画部１２は、隣接する濾材３を区画するように濾材３の間に配置される。区画部１２の下流側の端部１２ｂは、濾材３の閉塞部３ｂよりも下流側に位置している。区画部１２は、側面視で矩形状に構成され、かつ、平面視で略Ｖ字形状に構成されている。
つまり、区画部１２は、側面視で矩形状の２つの網目状部材（後述）を上流側の端部１２ａで接合した構成となっている。区画部１２の高さ（図２の紙面に垂直な方向における区画部１２の長さ）は、支持部１１の高さ（図２の紙面に垂直な方向における支持部１１の長さ）と略同一となっている。
【００２９】
また、区画部１２の上流側の端部１２ａは、平面視で円弧状となるように面取りされている。区画部１２の下流側の端部１２ｂの一方は、後述する第１接続部１３を介して支持部１１の下流側の端部１１ｂと接続されている。区画部１２の下流側の端部１２ｂの他方は、後述する第２接続部１４を介して、隣接する区画部１２の下流側の端部１２ｂの一方と接続されている。
【００３０】
第１接続部１３は、支持部１１の下流側の端部１１ｂ及び区画部１２の下流側の端部１２ｂの一方を接続する。第２接続部１４は、隣接する区画部１２の下流側の端部１２ｂ同士を接続する。第１接続部１３及び第２接続部１４は、フィルタ保護具１０の下流側から視た場合において略同一の矩形状となっている。第１接続部１３及び第２接続部１４の高さ（図２の紙面に垂直な方向における第１接続部１３及び第２接続部１４の長さ）は、支持部１１の高さと略同一となっている。
【００３１】
支持部１１と区画部１２とによって形成される隙間の大きさは、通気時における濾材３の容積の増大を規制しないようになっている。具体的には、支持部１１と区画部１２とによって形成される隙間の大きさは、通気時において濾材３の容積が増大した場合に、支持部１１及び区画部１２と濾材３とが接触しない程度になっている。また、第２接続部１４によって接続された区画部１２同士によって形成される隙間の大きさも、通気時において濾材３の容積が増大した場合に、区画部１２と濾材３とが接触しない程度になっている。
【００３２】
フィルタ保護具１０（支持部１１、区画部１２、第１接続部１３及び第２接続部１４）は、剛性を有する網状部材からなり、外気（気体）を流通可能に構成されている。また、フィルタ保護具１０を構成するこれらの部材の断面形状は、円、楕円等のように流体抵抗が少ないものであることが好ましい。また、これらの形状の部材は、所定の強度を有する。
【００３３】
また、この網状部材は、塩害対策のため、塩化物（例えば、塩化ナトリウム）に対して耐腐食性を有する材料（例えば、ステンレス鋼）から構成されている。なお、フィルタ保護具１０を、塩化物に対して耐腐食性を有しない材料から構成する場合には、塩化物に対して耐腐食性を有する塗料をフィルタ保護具１０に塗布することが好ましい。
【００３４】
また、フィルタ保護具１０の支持部１１及び区画部１２は、前記網状部材の下流側における網目の大きさが、網状部材の上流側における網目の大きさよりも小さい。例えば、図３に示すように、支持部１１の下流側における網目の大きさが、上流側における網目の大きさよりも小さくなっている。フィルタ保護具１０における網目の位置、網目の形状及び網目の大きさは、通気時における圧力損失が極力生じないように設けられる。
なお、図示例を省略するが、フィルタ保護具１０の支持部１１及び区画部１２は、前記網状部材の下流側における網目の大きさが、網状部材の上流側における網目の大きさと同じであってもよい。
【００３５】
補強部材１５は、例えば、支持部１１及び区画部１２と同様に、剛性を有する網状部材からなる。補強部材１５は、図２及び図３に示すように、隣接する第１接続部１３及び第２接続部１４、隣接する第２接続部１４同士、及び隣接する第１接続部１３同士を、連結して補強する。補強部材１５は、これら第１接続部１３及び第２接続部１４に溶接等によって連結される。この補強部材１５によれば、フィルタ保護具１０の下流側の端部の剛性（強度）を高めることができる。
【００３６】
なお、補強部材１５は、パイプ状又は棒状部材から構成されてもよい。また、補強部材１５は、第１接続部１３及び第２接続部１４の機能を有するように構成されてもよい。つまり、補強部材１５、第１接続部１３及び第２接続部１４が一部材として構成されてもよい。
【００３７】
次に、フィルタ設置治具２０について図４を参照しながら説明する。図４は、本発明の実施形態のフィルタ設置治具２０を示す斜視図である。
フィルタ設置治具２０は、フィルタ保護具１０にフィルタ１のフィルタメディア部２を挿入する際に使用されるものである。図４に示すように、フィルタ設置治具２０は、枠部２１と、一対の取手部２２と、複数（例えば、８つ）の案内部２３と、を備える。
【００３８】
枠部２１は、フィルタ１の固定枠部４の開口部４ａに仮止め可能に構成された矩形枠である。具体的には、枠部２１は、固定枠部４の開口部４ａに係合可能な大きさに構成されている。なお、枠部２１を開口部４ａに係合させた後、更にボルト及びナット等で枠部２１と固定枠部４とを固定してもよい。
取手部２２は、作業者が把持する部分である。取手部２２は、略コ字状に形成され、枠部２１の前面に把持可能に設けられている。
【００３９】
案内部２３は、濾材３の内部に挿入された状態で濾材３をフィルタ保護具１０に案内する部材である。案内部２３は、枠部２１から下流側に向かって突出して枠部２１に設けられると共に、フィルタメディア部２の濾材３の内部にそれぞれ挿入可能に構成されている。案内部２３は、例えば、略コ字状の金属製丸パイプにより構成されている。案内部２３のコ字状の角部２３ａは、濾材３を損傷しないように、円弧状に形成されている。
【００４０】
フィルタ設置治具２０は、作業性の観点から、軽量であることが好ましい。例えば、枠部２１は、剛性を有する網状部材から構成されてもよい。また、フィルタ設置治具２０は、例えば、ステンレス鋼やアルミニウム合金等から構成されることが好ましい。
【００４１】
次に、フィルタ設置治具２０の使用方法について図２を参照しながら説明する。
先ず、フィルタ設置治具２０の各案内部２３を、フィルタ１の各濾材３の内部に挿入し、更に、フィルタ設置治具２０の枠部２１をフィルタ１の固定枠部４の開口部４ａに仮止めする。これにより、フィルタ設置治具２０とフィルタ１とが一体となる。また、フィルタ１の各濾材３は、フィルタ設置治具２０の各案内部２３によって内方から支持される。そのため、各濾材３は、上流側から下流側に向けて直線状に延びた姿勢となる。
【００４２】
次に、フィルタ設置治具２０と一体となったフィルタ１のフィルタメディア部２をフィルタ保護具１０に挿入し、更に、固定枠部４を取付部材６の凹部６ａに固定する。フィルタ１の各濾材３は、フィルタ設置治具２０の各案内部２３によって支持されているので、上流側から下流側に向けて直線状に延びた姿勢となっている。そのため、フィルタメディア部２の各濾材３をフィルタ保護具１０に対して位置決めし易く、フィルタ保護具１０に容易に挿入することができる。また、フィルタ設置治具２０は、フィルタメディア部２の濾材３がフィルタ保護具１０に挿入された後、フィルタ１から取り外される。
【００４３】
次に、フィルタ保護具１０の作用について図２を参照しながら説明する。
図２に示すように、フィルタ１のフィルタメディア部２は、フィルタ保護具１０に挿入されている。そのため、フィルタメディア部２の濾材３のうち最も外側に配置された濾材３は、支持部１１及び区画部１２によって側面を囲まれている。また、フィルタメディア部２の他の濾材３は、区画部１２，１２によって側面を囲まれている。つまり、全ての濾材３は、隣接する濾材３側への動き（はためき）が規制されている。
【００４４】
従って、例えば、通気量が急激に変化した場合（例えば、送風機の起動停止時や強風送風時）等であっても、濾材３がはためいて隣接する濾材３同士が接触することが抑制される。これにより、濾材３同士が接触して擦り切れたり、穴が開いてしまうことを抑制することができる。
【００４５】
以上のように、本実施形態のフィルタ保護具１０によれば、以下に示す効果が奏される。
本実施形態のフィルタ保護具１０は、取付部材６に固定される一対の支持部１１と、隣接する濾材３を区画するように濾材３の間に配置される区画部１２と、支持部１１の下流側の端部１１ｂ及び区画部１２の下流側の端部１２ｂを接続する第１接続部１３と、隣接する区画部１２の下流側の端部１２ｂを接続する第２接続部１４と、を備える。
【００４６】
そのため、フィルタ１の濾材３は、支持部１１及び区画部１２又は区画部１２，１２によって側面を囲まれ、隣接する濾材３側への動き（はためき）が規制される。これにより、濾材３がはためいて、隣接する濾材３同士が接触することが抑制される。従って、濾材３同士の接触によって濾材３が損傷することを抑制することができる。
【００４７】
また、フィルタ保護具１０の第１接続部１３及び第２接続部１４は、支持部１１及び区画部１２と共に、外気（気体）を流通可能に構成されている。そのため、濾材３を流通した外気は、第１接続部１３及び第２接続部１４を容易に流通することができ、圧力損失の発生を抑制することができる。
【００４８】
また、支持部１１及び区画部１２は、剛性を有する網状部材からなり、網状部材の下流側における網目の大きさが、網状部材の上流側における網目の大きさよりも小さくなっている。そのため、支持部１１及び区画部１２の下流側の強度が低減することを抑制することができる。
【００４９】
また、本実施形態のフィルタ設置治具２０によれば、以下に示す各効果が奏される。
本実施形態のフィルタ設置治具２０は、枠部２１と、枠部２１に把持可能に設けられた取手部２２と、枠部２１から下流側に向かって突出して枠部２１に設けられ、フィルタ１の濾材３の内部に挿入された状態で濾材３をフィルタ保護具１０に案内する複数の案内部２３と、を備える。
【００５０】
そのため、フィルタ設置治具２０の各案内部２３によってフィルタ１の各濾材３を支持することで、各濾材３の姿勢を上流側から下流側に向けて直線状に整えることができる。これにより、フィルタメディア部２の各濾材３をフィルタ保護具１０に対して位置決めし易くすることができ、各濾材３をフィルタ保護具１０に容易に挿入することができる。従って、フィルタ設置治具２０によれば、フィルタ保護具１０に対してフィルタ１を容易に設置することができる。
【００５１】
以上、本発明の一実施形態について説明したが、本発明は、前述した実施形態に制限されるものではなく、適宜変更が可能である。
例えば、フィルタ保護具１０の区画部１２は、側面視で矩形状の２つの網目状部材を用いて平面視で略Ｖ字形状に構成されるものとして説明したが、これに制限されない。区画部１２は、側面視で矩形状の一つの網目状部材から構成されてもよい。
【００５２】
また、フィルタ保護具１０の支持部１１及び区画部１２は、剛性を有する網状部材からなり、網状部材の下流側における網目の大きさが、網状部材の上流側における網目の大きさよりも小さくなっているものとして説明したが、これに制限されない。
例えば、支持部１１及び区画部１２の網目形状は、図３に示した長方形に制限されない。例えば、網目形状は、三角形、菱形及び円形等、長方形以外の形状であってもよい。
【００５３】
また、前記実施形態においては、原子力発電所における換気空調設備等の外気処理装置に使用されるフィルタ１を例にして説明したが、排気を処理する排気処理装置に使用されるフィルタに対しても、本発明を同様に適用することができる。また、建屋の外部から取り入れた外気を、建屋の内部を循環する循環空気と共に処理する給気処理装置に使用されるフィルタに対しても、本発明を同様に適用することができる。これらの場合、前記実施形態における「外気」を、「排気」又は「循環空気」と読み替えると共に、「外気処理装置」を、「排気処理装置」又は「給気処理装置」と読み替えるものとする。
また、火力発電所における換気空調設備、火力発電所以外の産業用及び一般用の換気空調設備等に対しても、本発明を同様に適用することができる。
【符号の説明】
【００５４】
１  フィルタ
２  フィルタメディア部（濾材集合部）
３  濾材
３ａ  開口部
３ｂ  閉塞部
３ｃ  側面部
４  固定枠部
５  仕切壁（被設置箇所）
６  取付部材
１０  フィルタ保護具
１１  支持部
１１ａ，１１ｂ  端部
１２  区画部
１２ａ，１２ｂ  端部
１３  第１接続部
１４  第２接続部
１５  補強部材
２０  フィルタ設置治具
２１  枠部
２２  取手部
２３  案内部
【図１】
2011167658.tif 000003
【図２】
2011167658.tif 000004
【図３】
2011167658.tif 000005
【図４】
2011167658.tif 000006